(57)【特許請求の範囲】
【請求項１】
眼用レンズ（１４）の少なくとも１つの特性点をチャート化する光学機器であって、
−画像捕捉ユニット（３５）と前記画像捕捉ユニットへリンクされた画像利用ユニット（３２）とを含む光発射及び受信アセンブリ（１１）と、
−返光ユニットと、
−前記光発射及び受信アセンブリ（１１）と前記返光ユニットとの間に前記眼用レンズ（１４）を収容するように構成された支持体（１３）と、
−  前記返光ユニット内に作製された開口と、
−  前記支持体（１３）の反対側の前記返光ユニットの側に位置する光受信及び解析アセンブリ（４２）と
を含む、光学機器であって、
前記光発射及び受信アセンブリ（１１）、前記支持体（１３）及び前記返光ユニットは、前記光発射及び受信アセンブリ（１１）から発する入射光ビーム（２０）が、前記眼用レンズ（１４）を通過し、前記返光ユニット（１２）に衝突し、前記眼用レンズに向かって戻り、再度前記眼用レンズ（１４）を通過し、次いで、前記光発射及び受信アセンブリ（１１）に戻って、前記画像捕捉ユニット（３５）へ到達するように配置され、
前記画像捕捉ユニット（３５）は、前記少なくとも１つの特性点の位置を与えるように前記眼用レンズ上に存在する傾向のある所定指標を識別及び定位するように前記画像利用ユニット（３２）へ像を提供するように構成され、
前記支持体（１３）、前記返光ユニット及び前記開口は、前記光受信及び解析アセンブリ（４２）が、前記入射ビーム（２０）から、前記眼用レンズと前記開口とを通過した光を受信するように構成され、
前記光受信及び解析アセンブリ（４２）は、前記受信された光に基づき、前記眼用レンズ（１４）の前記少なくとも１つの特性点をチャート化するように構成され、
前記開口（４１；１４１；２４１；３４１；４４１；５４１）と、前記返光ユニット（１１２）を周期的に駆動する装置（５０；７１）とは、前記返光ユニット（１１２）に対向する固定ゾーンが少なくとも一部分（６０；６３；７５）を含むように構成され、
前記一部分（６０；６３；７５）の各サイトは、一周期の過程で随時前記開口（４１；１４１；２４１；３４１；４４１；５４１）に一致し、且つ、随時前記返光ユニット（１１２）の固体部に一致することを特徴とする、光学機器。
【請求項２】
前記開口（４１；１４１；２４１；３４１；５４１）と前記返光ユニット（１１２）を周期的に駆動する前記装置（５０；７１）とは、前記返光ユニット（１１２）に対向する前記固定ゾーンが一周期の過程で前記開口（４１；１４１；２４１；３４１；５４１）と恒久的に一致するいかなる部分も含まないように構成されることを特徴とする、請求項１に記載の光学機器。
【請求項３】
前記返光ユニット（１１２）を周期的に駆動する前記装置（５０）は、所定の回転中心（４０）のまわりで前記返光ユニット（１１２）を回転させるように構成され、及び、
前記開口（４１；１４１；２４１；３４１）は、前記返光ユニット（１１２）の前記回転中心（４０）が前記開口（４１；１４１；２４１；３４１）内以外の他の箇所にあるように構成されることを特徴とする、請求項１又は２に記載の光学機器。
【請求項４】
前記返光ユニット（１１２）は円形輪郭を有し、及び前記開口（４１；１４１；３４１）は鋭角を有する扇型の形状であることを特徴とする、請求項３に記載の光学機器。
【請求項５】
前記返光ユニット（１１２）は円形輪郭を有し、及び前記開口（２４１）はらせん形状であることを特徴とする、請求項３に記載の光学機器。
【請求項６】
前記返光ユニット（１１２）を周期的に駆動する前記装置（５０）は、所定の回転中心（４０）のまわりで前記返光ユニット（１１２）を回転させるように構成され、及び前記開口（４４１）は、前記返光ユニット（１１２）の前記回転中心（４０）が前記開口（４４１）内にあり、一方で前記開口の輪郭が前記回転中心（４０）を中心とした軸対称以外のものであるように構成されることを特徴とする、請求項１に記載の光学機器。
【請求項７】
前記返光ユニット（１１２）を周期的に駆動する前記装置（７１）は、前記返光ユニットを所定方向（７０）に沿って往復平行移動させるように構成されることを特徴とする、請求項１又は２に記載の光学機器。
【請求項８】
前記返光ユニット（１１２）は矩形輪郭を有し、及び前記開口（５４１）は矩形状であることを特徴とする、請求項７に記載の光学機器。
【請求項９】
前記返光ユニット（１１２）を周期的に駆動する前記装置（５０）と前記光発射及び受信アセンブリ（１１）に含まれる前記画像捕捉ユニット（３１）とは、前記画像捕捉ユニット（３１）が撮像する各期間が、前記返光ユニット（１１２）が整数回の周期をなす期間を有するように構成された制御装置（５１）へリンクされることを特徴とする、請求項１〜８のいずれか一項に記載の光学機器。
【請求項１０】
前記返光ユニット（１１２）を周期的に駆動する前記装置（５０）と前記光発射及び受信アセンブリ（１１）に含まれる光源（２５〜２７）とは、前記光源（２５〜２７）に、それぞれ前記返光ユニット（１１２）が整数回の周期をなす期間を有する、閃光を発射させるように構成された制御装置（５５）へリンクされることを特徴とする、請求項１〜８のいずれか一項に記載の光学機器。
【請求項１１】
前記光受信及び解析アセンブリ（４２）は、前記眼用レンズ（１４）と前記開口（４１；１４１；２４１；３４１；４４１；５４１）とを通過した入射ビーム（２０）の前記光の偏向を測定する装置（４５〜４７）を含むことを特徴とする、請求項１〜１０のいずれか一項に記載の光学機器。
【請求項１２】
前記光受信及び解析アセンブリ（４２）は、前記眼用レンズ（１４）と前記開口（４１；１４１；２４１）とを通過した前記入射ビーム（２０）の前記光により照射されるマトリックス状パターン（４５）と、前記マトリックス状パターン（４５）を通過した前記光により照射される別の画像捕捉ユニット（４６）と、前記眼用レンズ（１４）の前記少なくとも１つの特性点をチャート化するために、前記他の画像捕捉ユニット（４６）により捕捉された前記像を解析する解析装置（４７）とを含むことを特徴とする、請求項１〜１１のいずれか一項に記載の光学機器。
【請求項１３】
前記他の画像捕捉ユニット（４６）により捕捉された前記像を解析する前記解析装置（４７）は、前記眼用レンズ（１４）の前記少なくとも１つの特性点を表示する表示ユニット（３２）へリンクされることを特徴とする、請求項１２に記載の光学機器。
【請求項１４】
前記他の画像捕捉ユニット（４６）により捕捉された前記像を解析する前記解析装置（４７）は、前記眼用レンズ（１４）上の心出しピンを自動定位する装置（３８）へリンクされることを特徴とする、請求項１２又は１３に記載の光学機器。
【請求項１５】
前記光受信及び解析アセンブリ（４２）はさらに、前記開口（４１；１４１；２４１；３４１；４４１；５４１）を通過し、且つ前記光発射及び受信アセンブリ（１１）により受信される光を発射するように構成された光源（８１）を含み、及び前記光受信及び解析アセンブリ（４２）は、少なくとも１つの所定パターン（８３）を形成する孔（８２）であって、前記光受信及び解析アセンブリ（４２）に含まれる前記光源（８１）により発射された前記光が通過する、孔（８２）を呈示するマスク（８０）を含むことを特徴とする、請求項１〜１４のいずれか一項に記載の光学機器。
【発明の詳細な説明】
【技術分野】
【０００１】
本発明は眼用レンズの少なくとも１つの特性点をチャート化する光学機器を扱う。
【背景技術】
【０００２】
眼用レンズの縁取りを始めるには、すなわち眼用レンズの端をそれが配置されるフレームの形状にトリミングするには、眼用レンズの１つ又は複数の特性点の位置（例えばプリズム基準点（ＰＲＰ）、遠方視野（ＦＶ）の基準点又は近方視野（ＮＶ）の基準点）を確認することが必要であることが知られている。
【０００３】
特性点の位置を確認するために、その製造者により眼用レンズ上に配置された指標（例えばインクマーキング及び／又はマイクロエングレービング（ｍｉｃｒｏ−ｅｎｇｒａｖｉｎｇ）の形式）を通常は利用する。
【０００４】
眼用レンズの光学特性に基づき例えば焦点距離計により又はハルトマン又はシャック−ハルトマン方法を採用する光学的偏向計測機器により直接特性点をチャート化することも可能である。ハルトマン又はシャック−ハルトマン方法では、光は眼用レンズを通過させられ、その後、一定間隔で穿孔された不透明（板を通過させられ、次に、不透明板を通過した光が解析される。
【０００５】
通常、その製造者により眼用レンズ上に配置された指標を識別及び定位する機器は眼用レンズの光学特性に基づき特性点をチャート化する機器と異なる。
【０００６】
欧州特許第１，９９７，５８５号明細書は、眼用レンズのマーキングを識別及び定位するか、又はその光学特性に基づき眼用レンズの光学中心をチャート化するように設計された光学機器を提案する。この文献に記載された機器は、
−  画像捕捉ユニットと画像捕捉ユニットへリンクされた表示ユニットとを含む光発射及び受信アセンブリと、
−  ２つの部分からなり、その一方が中心で固定され、及び他方が同じ中心を有する環状体であり回転する逆反射体と、
−  光発射及び受信アセンブリと逆反射体との間に眼用レンズを収容するように構成された支持体であって、光発射及び受信アセンブリ、支持体及び逆反射体は、光発射及び受信アセンブリから発する入射光ビームが眼用レンズを通過し、逆反射体に衝突し、眼用レンズに向かって戻り、再度眼用レンズを通過し、及び光発射及び受信アセンブリに戻って、眼用レンズ上に存在する傾向のあるマーキングを識別及び定位するために表示ユニットへ像を提供するように構成された画像捕捉ユニットへ到達するように配置される、支持体と、
−  その頂点が逆反射体の固定中央部である光受信及び解析アセンブリであって、支持体及び逆反射体は、光受信及び解析アセンブリが、眼用レンズ、逆反射体の環状部の中心により形成された開口、及び逆反射体の固定中央部を通過した入射ビームの光を受信するように構成され、光受信及び解析アセンブリは、受信された光に基づき眼用レンズの光学中心をチャート化するように構成される、光受信及び解析アセンブリと
を含む。
【発明の概要】
【発明が解決しようとする課題】
【０００７】
本発明は同じ種類であるがより効果的な光学機器を提供することを目的とする。
【課題を解決するための手段】
【０００８】
本発明は、この目的のために、眼用レンズの少なくとも１つの特性点をチャート化する光学機器であって、
−  画像捕捉ユニットと画像捕捉ユニットへリンクされた画像利用ユニットとを含む光発射及び受信アセンブリと、
−  返光（ｌｉｇｈｔ  ｒｅｔｕｒｎ）ユニットと、
−  前記光発射及び受信アセンブリと前記返光ユニットとの間に前記眼用レンズを収容するように構成された支持体と、
−  前記返光ユニット内に作製された開口と、
−  前記支持体の反対側の返光ユニットの側に位置する光受信及び解析アセンブリと
を含み、
前記光発射及び受信アセンブリ、前記支持体及び前記返光ユニットは、前記光発射及び受信アセンブリから発する入射光ビームが、前記眼用レンズを通過し、前記返光ユニットに衝突し、前記眼用レンズに向かって戻り、再度前記眼用レンズを通過し、及び前記光発射及び受信アセンブリに戻って、画像捕捉ユニットへ到達するように配置され、
前記画像捕捉ユニットは、前記少なくとも１つの特性点の位置を与えるように眼用レンズ上に存在する傾向のある所定指標を識別及び定位するように画像利用ユニットへ像を提供するように構成され、
前記開口と、返光ユニットに各周期において同一運動をさせる、返光ユニットを周期的に駆動する装置とが、返光ユニットに対向する固定ゾーンが少なくとも一部分を含むように構成され、その各サイトは一周期の過程で随時前記開口に一致し、且つ随時返光ユニットの固体部に一致することを特徴とする、光学機器を提案する。
【０００９】
返光ユニットが各周期において同一運動をすることを考えれば、返光ユニットは周期の終わりに同じ位置に戻る。
【００１０】
周期的駆動装置が返光ユニットを往復平行移動させる場合、各周期において行われる同じ運動は、例えば所定方向に沿った一定長さの外方向復帰運動である。
【００１１】
周期的駆動装置が返光ユニットを所定の回転中心を中心として回転させる場合、各周期において行われる同じ運動は、例えば回転中心を中心とした一定角度範囲の外方向復帰運動（交互回転運動）又は回転中心を中心とした完全な回転（連続回転運動）である。
【００１２】
その一方が中心に固定され、及び同じ中心を有する環状の他方が連続回転運動を行う２つの部分から光逆反射体がなる欧州特許第１，９９７，５８５号明細書に記載の光学機器では、逆反射体に対向するいかなる固定ゾーンも排他的に、一方では逆反射体の環状部の中心により形成された開口に恒久的に一致する部分を、他方では逆反射体の環状部に恒久的に一致する部分を含むことに注意されたい。その各サイトが一周期の過程で随時開口に一致し、且つ随時光反射体の固体部に一致する部分は存在しない。表示ユニットにより表示される像は開口により与えられる中央空隙を呈示し、この空隙は眼用レンズの中心に位置するマーキングの可視性を妨げる（欧州特許第１，９９７，５８５号明細書の特に図１２を参照）。
【００１３】
逆に、本発明による機器では、以下で説明するように、画像センサにより捕捉される像は、その輝度が返光ユニットの固体部により与えられる輝度と開口により与えられる輝度との中間である少なくとも一部分を含む。
【００１４】
中間輝度を有する像の少なくとも一部は、暗くなく、したがって、前記少なくとも１つの特性点の位置を与えるように、眼用レンズ上に存在する傾向のある所定指標の識別及び定位を妨げる空隙を形成しない。
【００１５】
したがって、返光ユニットの開口は比較的大きくなり得、結果的に、より多くの光が光受信及び解析アセンブリに向かって透過され得る。
【００１６】
したがって、本発明による光学機器は、このアセンブリの解析能力の利益のために、眼用レンズ上に存在する傾向のある所定指標のより容易な識別とより容易な定位との両方と、光受信及び解析アセンブリに向かうより良好な光透過能力とを提供する。
【００１７】
画像センサにより捕捉される像は、その輝度が返光ユニットの固体部により与えられる輝度と開口により与えられる輝度との中間である少なくとも一部分を含む理由を次に説明する。
【００１８】
固定ゾーン内には、その各サイトが一周期の過程で随時開口に一致し、且つ随時返光ユニットの固体部に一致する少なくとも一部分が存在し、この部分が支持体の側に位置すれば、いかなる時点においても、
−  返光ユニットの固体部に一致する副部は、光発射及び受信アセンブリに向かう光により横断され、
−  開口に一致する副部は、光発射及び受信アセンブリに向かう光により横断されないか、又はいずれにしても低強度を有するこのような光により横断される。
【００１９】
結果的に、光発射及び受信アセンブリの方向の固定ゾーンの少なくとも一部を通過する光は、以下のものの中間の平均輝度を有する：
−  返光ユニットの固体部と恒久的に一致する部分を通過する光の強さ、及び
−  返光ユニットの開口と恒久的に一致する部分を通過する光の強さ（低い又は零）。
【００２０】
画像センサにより受信された光は返光ユニットを起源とするため、及び画像センサは固定であるため、画像センサにより捕捉される像は、固定ゾーンの少なくとも一部を通過する光の平均輝度を考えると、その輝度が返光ユニットの固体部により与えられる輝度と開口により与えられる輝度との中間である少なくとも一部を含む。
【００２１】
有利な特徴によると、前記開口と前記返光ユニットを周期的に駆動する装置とは、返光ユニットに対向する前記固定ゾーンが一周期の過程で前記開口と恒久的に一致する部分を含まないように構成される。
【００２２】
したがって、画像センサにより捕捉される像は返光ユニットの開口により与えられる空隙を呈示しない。
【００２３】
第１の有利な実施形態では、返光ユニットを周期的に駆動する装置は、所定の回転中心のまわりで返光ユニットを回転させるように構成され、及び前記開口は、返光ユニットの回転中心（４０）が開口内以外の他の箇所にあるように構成される。
【００２４】
この第１の実施形態の有利な特徴によると、
−  前記返光ユニットは円形輪郭を有し、及び前記開口は鋭角を有する扇型形状であり、又は
−  前記返光ユニットは円形輪郭を有し、及び前記開口はらせん形状である。
【００２５】
第２の有利な実施形態では、返光ユニットを周期的に駆動する装置は、所定の回転中心のまわりで返光ユニットを回転させるように構成され、及び前記開口は、返光ユニットの回転中心が開口内にあり、一方で開口の輪郭が回転中心を中心とした軸対称以外であるように構成される。
【００２６】
第３の有利な実施形態では、返光ユニットを周期的に駆動する装置は、返光ユニットを所定方向に沿って往復平行移動させるように構成される。
【００２７】
この第３の実施形態の有利な特徴によると、返光ユニットは矩形輪郭を有し、及び前記開口は矩形状である。
【００２８】
本発明による機器の実装の有利な特徴によると、
−  返光ユニットを周期的に駆動する装置と前記光発射及び受信アセンブリに含まれる画像捕捉ユニットとは、画像捕捉ユニットが撮像する各期間が、返光ユニットが整数回の周期をなす期間を有するように構成された制御装置へリンクされ、
−  返光ユニットを周期的に駆動する装置と前記光発射及び受信アセンブリに含まれる光源とは、前記光源に、閃光であって、それぞれ返光ユニットが整数回の周期をなす期間を有する、閃光を発射させるように構成された制御装置へリンクされ、
−  前記光受信及び解析アセンブリは、前記眼用レンズと前記開口とを通過した入射ビームの前記光の偏向を測定する装置を含み、
−  前記光受信及び解析アセンブリは、前記眼用レンズと前記開口とを通過した入射ビームの前記光により照射されるマトリックス状パターンと、マトリックス状パターンを通過した光により照射される別の画像捕捉ユニットと、眼用レンズの前記少なくとも１つの特性点をチャート化するために、前記他の画像捕捉ユニットにより捕捉された像を解析する解析装置とを含み、
−  前記他の画像捕捉ユニットにより捕捉された像を解析する前記解析装置は、眼用レンズの前記少なくとも１つの特性点を表示する表示ユニットへリンクされ、
−  前記他の画像捕捉ユニットにより捕捉された像を解析する前記解析装置は、前記眼用レンズ上の心出しピンを自動定位する装置へリンクされ、及び／又は
−  前記光受信及び解析アセンブリはさらに、前記開口を通過し、且つ前記光発射及び受信アセンブリにより受信される光を発射するように構成された光源を含み、及び前記光受信及び解析アセンブリは、少なくとも１つの所定パターンを形成する孔であって、前記光受信及び解析アセンブリに含まれる前記光源により発射された前記光が通過する、孔を呈示するマスクを含む。
【００２９】
本発明の開示は、添付図面を参照して、例示的実施形態の非限定的図を所与として、詳細な説明により続けられる。
【図面の簡単な説明】
【００３０】
【図１】本発明の理解に役立つ光学機器の第１の実施形態に含まれる支持体だけでなく光発射及び受信アセンブリも示すごく概略的な図である。ここで、眼用レンズは、一方の面上にマイクロエングレービングを呈示し、マイクロエングレービングが存在する面が光発射及び受信アセンブリに対向する位置の支持体上に収容される。
【図２】この光学機器が含む後方散乱器と支持体上に収容された眼用レンズとを示すごく概略的な図である。
【図３】光発射及び受信アセンブリ、眼用レンズ、後方散乱器、及び後方散乱器から光発射及び受信アセンブリまでの光の経路を示すごく概略的な図である。
【図４】本発明の理解に役立つ機器の第１の実施形態の概略図であり、光発射及び受信アセンブリを詳細に示す。
【図５】点光源とコリメーションユニットとのいくつかの幾何学的特性を示す概略図である。
【図６】眼用レンズ上の心出しピンの自動定位を可能にするために画像捕捉ユニットへリンクされた要素を示すブロック図である。
【図７】後方散乱器の平面図である。
【図８】図７のものと同様の図であるが、本発明による光学機器の第２の実施形態のものである。
【図９】図４の下部と同様の概略図であるが、本発明による光学機器の第２の実施形態のものである。
【図１０】図８のものと同様の図であるが、本発明による光学機器の第２の実施形態の第１の変形形態のものである。
【図１１】図９に示されたものと同様の図であるが、図１０に示された第１の変形形態に対応するより詳細なものである。
【図１２】図８及び図１０のものと同様の図であるが、本発明による光学機器の第２の実施形態の第２の変形形態のものである。
【図１３】本発明による光学機器の第２の実施形態の画像捕捉ユニットへリンクされる要素を示すブロック図である。
【図１４】閃光を発射するバージョンにおける光源へリンクされる要素を示すブロック図である。
【図１５】図８、１０及び１２のものと同様の図であるが、光学機器の第２の実施形態の第３の変形形態のものである。
【図１６】図１５に示された後方散乱器に対向する固定ゾーンに含まれる様々な部分を示す。
【図１７】図８、１０、１２及び１５と同様の図であるが、光学機器の第２の実施形態の第４の変形形態のものである。
【図１８】図１７と同様の図であるが、その回転の過程で後方散乱器によりとられる別の位置も示す。
【図１９】図１６と同様の図であるが、図１７の後方散乱器のものである。
【図２０】図７と同様の図であるが、本発明による光学機器の第３の実施形態のものである。
【図２１】図２０と同様の図であるが、同時に、往復運動の過程で後方散乱器によりとられる２つの極限位置を示す。
【図２２】図１６及び図１９と同様の図であるが、図２０の後方散乱器のものである。
【図２３】立面図での概略断面図であり、図１０及び図１１に示された後方散乱器と、光受信及び発射アセンブリに向かう光を発射するように構成された光源と、この光が通過する孔を呈示するマスクとを示す。
【図２４】図２３に示されたマスクの変形形態を示す平面図である。
【図２５】光受信及び解析アセンブリのマトリックス状パターンの孔の編成の変形形態を示す平面図である。
【発明を実施するための形態】
【００３１】
図１〜図７に示される光学機器１０は本発明の理解に役立つ光学機器の第１の実施形態に従う。
【００３２】
この光学機器１０は、光発射及び受信アセンブリ１１と、後方散乱器１２と、アセンブリ１１と後方散乱器１２との間にマイクロエングレービング１６が存在する自身の面１５が光発射及び受信アセンブリ１１に対向する位置で眼用レンズ１４を収容するように構成される、支持体１３（図１）とを含む。
【００３３】
マイクロエングレービング１６はレンズ厚さの小さな局所変動又は光学指標の小さな局所変動である。
【００３４】
多様な技術が、マイクロエングレービング１６を眼用レンズの面上に存在させること（すなわち、マイクロエングレービングが眼用レンズに成形される際のわずかな肥厚部、レーザにより生成される僅かな窪み、又はその光学指標を局所的に修正する材料の代替）を可能にする。
【００３５】
コヒーレント光ビームがマイクロエングレービング１６に衝突すると、その位相はマイクロエングレービングにより局所的に修正される。
【００３６】
位相のこの局所変動は光ビームを回折させる。
【００３７】
空間的コヒーレント光ビームの場合、回析は強度の局所修正（フレネル回折）により可視にされる。
【００３８】
マイクロエングレービング１６は、眼用レンズ１４の特性点（例えばそのプリズム基準点）（ＰＲＰ）をチャート化する役割を果たす。
【００３９】
光発射及び受信アセンブリ１１は空間的コヒーレント平行光のビーム２０（図１）を発射する。
【００４０】
図２の左側に示すように、ビーム２０がマイクロエングレービング１６に衝突すると光は局所的に回折される。
【００４１】
レンズ１４を通過した光の後方散乱器１２上への投影は、マイクロエングレービング１６に起因する光の回析のために強度変動を呈示する。
【００４２】
したがって、後方散乱器１２上に投影されたビーム２０像はマイクロエングレービング１６と同様の形式の強度の変動を呈示する。
【００４３】
図２の右側に示すように、後方散乱器１２はわずかな散乱により同じ方向に到達した光を戻す。
【００４４】
後方散乱器により戻された光ビーム２１はこのわずかな散乱のために空間的にコヒーレントでない。
【００４５】
図３に見られるように、後方散乱器１２によりこのように発射された光ビーム２１はマイクロエングレービング１６により修正されることなく、又はほとんど修正されることなく眼用レンズ１４を通過し、光発射及び受信アセンブリ１１に到達する。
【００４６】
以上の説明では、レンズを通過する際に入射ビーム２０が受けるプリズム偏差と後方散乱器１２により発射されたビーム２１がレンズを再度通過する際に受けるプリズム偏差とについて一切述べなかった。
【００４７】
これは、これらの２つの連続プリズム偏差が完全に互いに補償するからである。
【００４８】
したがって、後方散乱器１２上に形成されるマイクロエングレービング１６の像はプリズム偏差により変形され、一方でアセンブリ１１により眼用レンズ１４を通して見られる後方散乱器１２の像は正確に逆の方法で変形される。
【００４９】
したがって、アセンブリ１１により見られる後方散乱器１２の像はマイクロエングレービング１６の正確な表像を含む。
【００５０】
眼用レンズ１４を通過する光学ビームが平行にされ空間的にコヒーレントであることが、後方散乱器１２上のマイクロエングレービング１６の非常にコントラストされた投影を得られるようにする。
【００５１】
支持体１３は、後方散乱器１２上のマイクロエングレービング１６の投影が容易に観察されるように、すなわち眼用レンズ１４と後方散乱器１２との距離が、後方散乱器１２上の投影が明瞭なままであるには十分に小さく（この距離が大き過ぎれば、像はマイクロエングレービング１６に起因する回析のためにぼやけるであろう）、且つマイクロエングレービング１６の投影が観察されるには十分に大きくなるように配置される。
【００５２】
次に、光発射及び受信アセンブリ１１について図４を参照して詳細に説明する。
【００５３】
図示の例では、アセンブリ１１は、分散光源２５、ピンホール２７を含むダイアフラム２６、半反射プレート２８、返光ミラー２９、コリメートレンズ３０、ビデオカメラ３１、及びビデオカメラ３１へリンクされた表示ユニット３２を含む。
【００５４】
ダイアフラム２６及びビデオカメラ３１の対物レンズ３５は共役場所である半反射プレート２８の両側に配置される、すなわち、これらは返光ミラー２９の視点から同一の場所に配置されたものとして見られる。
【００５５】
この場所はコリメートレンズ３０の焦点となるように選択される。したがって、２つの共役場所のそれぞれはコリメートレンズ３０の焦点に対応する。
【００５６】
したがって、ダイアフラム２６のピンホール２７はコリメートレンズ３０の第１の焦点に配置されると考えられ得、ビデオカメラ３１の対物レンズ３５はコリメートレンズ３０の第２の焦点に配置されると考えられ得る。
【００５７】
分散光源２５はダイアフラム２６の可能な限り近く（例えば０．５ｍｍ未満）に配置されるため、ダイアフラム２６のピンホール２７は点光源を形成する。
【００５８】
この点光源により発射された光は、半反射プレート２８により次に返光ミラー２９により反射され、コリメートレンズ３０を通過する。
【００５９】
ピンホール２７はコリメートレンズ３０の焦点に配置されるため、レンズ３０から現れるビーム２０は平行化される、すなわちその光線はすべて互いに平行に配向される。
【００６０】
図５は、コリメートレンズ３０の焦点長Ｆとピンホール２７の直径Ｄ（すなわち分散光源２５及びダイアフラム２６により形成される点光源の直径）とを概略的に示す。
【００６１】
実際には、点光源は、分散光源２５を形成するＬＥＤとダイアフラム２６とを組み合わせた市販部品により形成され得る。
【００６２】
光束が十分となるには、直径Ｄは少なくとも１０μｍ又はさらには少なくとも２０μｍである。直径Ｄに与えられる最大値について以下に説明する。
【００６３】
後方散乱器１２から発するビーム２１の光は、眼用レンズ１４を通過した後、コリメートレンズ３０を通過し、返光ミラー２９により反射され、半反射プレート２８を通過し、ビデオカメラ３１の対物レンズ３５に到達する。
【００６４】
この対物レンズは、ビデオカメラ３１のセンサ３６が後方散乱器１２を撮像するように合焦される。
【００６５】
これらの像はビデオカメラ３１へリンクされた表示ユニット３２上に表示される。
【００６６】
したがって、表示ユニット３２を見る観察者は、眼用レンズ１４の面１５上に存在するマイクロエングレービング１６が識別及び定位され得るようにする像を見る。
【００６７】
これにより、オペレータは、マイクロエングレービング１６が眼用レンズ１４上のいずれの箇所にあるか、したがって光学中心とこの眼用レンズの球面屈折力の軸とがいずれに配置されるかを判断できるようになる。これらのパラメータは例えば、ユーザが眼用レンズ１４を縁取り（すなわち、眼用レンズ１４の端を、合わせられなければならないフレームの形状にカット）しようとする場合にユーザに役立つ。
【００６８】
実際には、縁取り機へ眼用レンズ１５を取り付けるのに使用される心出しピンは、このように観察されるマイクロエングレービング１６のために機器１０内に配置される。心出しピンはオペレータにより手動で配置され得る。
【００６９】
図６は、心出しピンが自動的に配置され得るようにする要素を示す。
【００７０】
表示ユニット３２へリンクされることに加えて、ビデオカメラ３１はマイクロエングレービング１６を識別及び定位することができる画像解析装置３７へリンクされる。心出しピン自動配置装置３８が画像解析装置３７へリンクされ、画像解析装置３７は心出しピンが配置されなければならない眼用レンズ１４の面１５上に位置する座標を心出しピン自動配置装置３８へ提供する。
【００７１】
心出しピン自動配置装置３８は、例えば米国特許第６，８８８，６２６号明細書に対応する仏国特許第２，８２５，４６６号明細書に記載されたものである。
【００７２】
一般的に、７００ｎｍ〜１０００ｎｍの波長（すなわち可視光のスペクトル近傍の赤外線）を有することは、分散光源２５としたがってダイアフラム２６により形成する点光源とに有利である。
【００７３】
したがって、ピンホール２７とビデオカメラ３１のセンサ３６との間のその経路上の光の減衰は、眼用レンズ１４が着色された場合を含み、緩和される。
【００７４】
当然のことながら、ビデオカメラ３１のセンサ３６はこの波長帯において敏感であるように選択される。
【００７５】
一般的に、機器１０はここでは、幅が１０〜８０μｍのマイクロエングレービング１６のために構成される。
【００７６】
後方散乱器１２上に投影されるマイクロエングレービング１６の像がコントラストされることが重要である。具体的には、これにより、比較的大きなサイズの開口３の対物レンズ３５を有するビデオカメラ３１を使用できるようにする。このような開口は、ビデオカメラ３１のセンサ３６への途中の光束の損失を制限する。
【００７７】
したがって、マイクロエングレービング１６の流体観察を可能にするために十分な光束がビデオカメラ３１のセンサ３６により受信される。すなわち、ユーザは、表示ユニット３２がリアルタイムで（実際には、少なくとも１５Ｈｚに等しい周波数で）リフレッシュされる間に眼用レンズ１４を支持体１３の上で移動させ得る。
【００７８】
前述の範囲の波長により、コリメートレンズ３０の焦点長Ｆ（レンズ３０とその焦点との間の距離）の５０分の１以下の直径Ｄを有するピンホール２７は後方散乱器１２上に投影されるマイクロエングレービング１６の像がコントラストされることを保証できるようにすることが観察された。
【００７９】
これはビーム２０の空間的コヒーレンス幅とマイクロエングレービング１６の幅との良好な一致の結果であると考えられる。
【００８０】
一般的に、マイクロエングレービングの幅の１０μｍの前述の下限を所与として、ビーム２０の空間的コヒーレンス幅はマイクロエングレービング１６の幅の５倍以上であることが有利である。
【００８１】
定義により、空間的コヒーレンス幅はＦλ／Ｄに等しい。ここでλは光束の波長である。
【００８２】
マイクロエングレービングの幅がａで表されれば、次の関係：Ｄ≦Ｆλ／５ａが得られる。
【００８３】
例えば、
−  マイクロエングレービングの幅が５０μｍであり、
−  光束の波長が８５０ｎｍであり、
−  コリメートレンズ３０の焦点長が２００ｍｍであれば、
ピンホール２７の直径Ｄは６８０μｍ以下である。
【００８４】
光束の波長λが８００〜９００μｍであり且つ焦点長Ｆが１５０〜３００ｍｍである場合、３０μｍ〜６０μｍの幅を有するマイクロエングレービング１６に対して優れた結果が得られることが観察された。
【００８５】
上に示すように、７００ｎｍ〜１０００ｎｍの波長で発射する光源２５と、コリメートレンズ３０の焦点長Ｆの５０分の１以下の光源直径Ｄとにより、後方散乱器１２上に投影されるマイクロエングレービング１６の像は良くコントラストされる。
【００８６】
状況によっては、直径Ｄは、焦点長Ｆの１００分の１以下、１５０分の１、２００分の１、又は２５０分の１となるように選択される。
【００８７】
ビデオカメラ３１のセンサ３６により受信される光束を十分なものにするために好ましいパラメータは、
−  ダイアフラム２６のピンホール２７を通して発射される高強度の光束、及び／又は
−  後方散乱器１２により散乱される光の散乱角に一致する対物レンズ３５の開口（図３及び図２の右側部分を参照）
であることも観察された。
【００８８】
矢印３９により図７に示すように、粒状性を平均化するために、後方散乱器１２は機器１０の使用中に回転される。
【００８９】
校正パターンを後方散乱器１２上に配置することも可能であり（ビデオカメラ３１の対物レンズ３５が後方散乱器１２上に合焦されることと、したがって、しかも眼用レンズ１４が存在してもしなくても見られるのは、後方散乱器１２であることとが想起される）、このような校正パターンは後方散乱器が急速回転しているときにはもはや感知可能でない。
【００９０】
参照符号１６などのマイクロエングレービングはそれらの製造者を起源とする眼用レンズにより担持されたマーキングより精密であり、本発明の理解に役立つ機器は、精度の利益のために、マイクロエングレービングを直接使用できるようにすることが観察される。
【００９１】
例えば心出しのためのこのような精度は、レンズがさらにますます個人専用になりつつあるため、重要である。
【００９２】
機器１０は既存機器（例えばトレーサ／ブロッカ（ｔｒａｃｅｒ／ｂｌｏｃｋｅｒ）又はグラインダ）に容易に一体化され得ることが観察される。
【００９３】
本発明の理解に役立つ機器の可能な利用はマイクロエングレービングにより与えられる基準とレンズ上に存在する他のマーク（例えばレンズが供給されるマーキング）との間のあり得るずれを測定することであり、及び／又は本発明の理解に役立つ機器の別の可能な利用は機器１０によるトレースにより支援されるマイクロエングレービングに対してマーキングを極めて正確にすることであることがさらに観察される。
【００９４】
これまで説明した機器１０の実施形態では、後方散乱器１２は固体回転式（すなわち、いかなる開口も呈示しない）プラテンで作製される。
【００９５】
次に、本発明による光学機器の第２の実施形態について図８〜図１３を用いて説明する。後方散乱器１２は、開口が作製されると共に光受信及び解析アセンブリがこの後方散乱器下（すなわち眼用レンズ１４を収容するように設計された支持体１３の反対側である後方散乱器の側）に配置された後方散乱器により置換される。
【００９６】
支持体１３、後方散乱器内の開口及び光受信及び解析アセンブリは、後者が、眼用レンズ１４及び後方散乱器内の開口を通過した後の光を平行光のビーム２０から受信するように構成される。
【００９７】
受信光は眼用レンズ１４のいくつかの光学データ（特には、その光学中心及び円柱屈折力の軸）を判断するために解析される。これらのデータは、眼用レンズ１４が縁取りされる場合に、又はさらに同レンズの球面屈折力及び円柱屈折力などの他のデータを判断するために役立つ。
【００９８】
第２の実施形態による光学機器の第１のバージョンは図８及び図９に、第２のバージョンは図１０及び図１１に、並びに第３のバージョンは図１２に示される。
【００９９】
３つのバージョンに共通の要素は図１１、図１３及び図１４に示される。
【０１００】
第１のバージョン、第２のバージョン及び第３のバージョンのそれぞれでは、後方散乱器１２は後方散乱器１１２により置換される。
【０１０１】
後方散乱器１２と同様に、後方散乱器１１２は回転中心４０を中心とする円形輪郭を有するが、開口４１、開口１４１及び開口２４１をそれぞれ有する。
【０１０２】
図８及び図９に示す第１のバージョンでは、開口４１は鋭角を有する扇型の形状をとる。開口４１は回転中心４０から後方散乱器１１２の周囲まで延びる。
【０１０３】
図８に見られるように、光受信及び解析アセンブリ４２は回転中心４０を中心にして配置される。
【０１０４】
図９に見られるように、眼用レンズ１４の支持体１３は回転中心４０を中心位置に合わせて配置される。
【０１０５】
平行光のビーム２０からの光は、眼用レンズ１４と開口４１とを通過した後、光受信及び解析アセンブリ４２に到達する。
【０１０６】
図８に照らして理解されるように、光受信及び解析アセンブリ４２の一部分は開口４１にいかなる時点でも一致する。
【０１０７】
したがって、光受信及び解析アセンブリ４２の一部分は開口４１を通過した光をいかなる時点でも受信する。
【０１０８】
後方散乱器１１２の回転運動のために、光受信及び解析アセンブリ４２の各部分は、後方散乱器１１２が一回転すると、ある瞬間に、開口４１と一致する。
【０１０９】
したがって、後方散乱器１１２の各回転時に、光受信及び解析アセンブリ４２の全体は眼用レンズ１４と開口４１とを通過した光を受信する。
【０１１０】
したがって、後方散乱器１１２の各回転時に、光受信及び解析アセンブリ４２は眼用レンズ１４の対応ゾーンの全体を通過した光を受信する。
【０１１１】
後方散乱器１１２の少なくとも一回転期間中に受信された光を解析することにより、光受信及び解析アセンブリ４２はレンズ１４（より正確には、光受信及び解析アセンブリ４２に到達する前に光が通過したゾーン）の光学データを判断することができる。
【０１１２】
回転中心４０は開口４１内に配置されない（中心４０はここでは開口４１の周囲上にある）ため、開口４１のいかなる部分も回転中心４０を中心としない。
【０１１３】
したがって、その回転中心４１とその周囲との間の後方散乱器１１２に対向するいかなる定常点も、各回転の一部期間中、開口４１の部分を形成しない後方散乱器１１２の一部分（すなわち固体部）と一致する。
【０１１４】
ここで、開口４１が、回転中心４０にその頂点を有し且つ３０°の開口角を有する角度セクタの形式をとる場合、各定常点は一回転の１／１２（３０／３６０）中に開口４１と一致し、したがって、一回転の１１／１２中、開口４１の部分を形成しない後方散乱器１１２の一部分と一致する。
【０１１５】
したがって、表示ユニット３２により表示される後方散乱器１１２の像は、開口４１に対応する空隙を含まず、したがってマイクロエングレービング１６がその全体として見られるようにする。
【０１１６】
開口４１が表示ユニット３２上において少しでも現われるのを防止することを可能にする測定について、図１１及び図１４を参照して以下に説明する。
【０１１７】
図９及び図１０に示された第２の実施形態による光学機器の第２のバージョンは第１のバージョンの変形形態である。開口４１は、角度セクタの形態をまたとる開口１４１により置換されるが、その頂点は回転中心４０から離れた距離にあり、さらに、眼用レンズ１４を収容するように設けられた支持体１３がそうであるように、光受信及び解析アセンブリ４２は回転中心４０に対して中心から外れている、すなわち支持体１３と光受信及び解析アセンブリ４２とは互いに対して中心に置かれる。
【０１１８】
平行光のビーム２０からの光は、眼用レンズ１４と開口１４１とを通過した後、光受信及び解析アセンブリ４２に到達する。
【０１１９】
図１０に照らして理解されるように、光受信及び解析アセンブリ４２の一部分は開口１４１にいかなる時点でも一致する。
【０１２０】
したがって、光受信及び解析アセンブリ４２の一部分は開口１４１を通過した光をいかなる時点でも受信する。
【０１２１】
後方散乱器１１２の回転運動のために、光受信及び解析アセンブリ４２の各部分は、後方散乱器１１２が一回転すると、ある瞬間に、開口１４１と一致する。
【０１２２】
したがって、後方散乱器１１２の各回転時に、光受信及び解析アセンブリ４２の全体は眼用レンズ１４と開口１４１とを通過した光を受信する。
【０１２３】
したがって、後方散乱器１１２の各回転時に、光受信及び解析アセンブリ４２は眼用レンズ１４の対応ゾーンの全体を通過した光を受信する。
【０１２４】
回転中心４０は開口１４１内に配置されないため、開口１４１のいかなる部分も回転中心４０を中心としない。
【０１２５】
開口４１に関して上に説明したのと同じ理由で、開口１４１を含む後方散乱器１１２の像であって、表示ユニット３２により表示される像は、開口１４１に対応する空隙を含まず、したがって眼用レンズ１４のマイクロエングレービング１６がその全体として見られるようにする。
【０１２６】
第２の実施形態による光学機器の図１２に示される第３のバージョンは、らせん形状である開口２４１により開口４１が置換される第１のバージョンの変形形態である。さらに、眼用レンズ１４を収容するように設けられた支持体１３がそうであるように、光受信及び解析アセンブリ４２は回転中心４０に対して中心から外れている、すなわち支持体１３と光受信及び解析アセンブリ４２とは互いに対して中心に置かれる。
【０１２７】
平行光のビーム２０からの光は、眼用レンズ１４と開口２４１とを通過した後、光受信及び解析アセンブリ４２に到達する。
【０１２８】
図１２に照らして理解されるように、光受信及び解析アセンブリ４２の一部分は開口２４１にいかなる時点でも一致する。
【０１２９】
したがって、光受信及び解析アセンブリ４２の一部分は開口２４１を通過した光をいかなる時点でも受信する。
【０１３０】
後方散乱器１１２の回転運動のために、光受信及び解析アセンブリ４２の各部分は、後方散乱器１１２が一回転すると、ある瞬間に、開口２４１と一致する。
【０１３１】
したがって、後方散乱器１１２の各回転時に、光受信及び解析アセンブリ４２の全体は眼用レンズ１４と開口２４１とを通過した光を受信する。
【０１３２】
したがって、後方散乱器１１２の各回転時に、光受信及び解析アセンブリ４２は眼用レンズ１４の対応ゾーンの全体を通過した光を受信する。
【０１３３】
回転中心４０は開口２４１内に配置されないため、開口１４１のいかなる部分も回転中心４０を中心としない。
【０１３４】
開口４１に関して上に説明したのと同じ理由で、開口２４１を含む後方散乱器１１２の像であって、表示ユニット３２により表示される像は、開口２４１に対応する空隙を含まず、したがって眼用レンズ１４のマイクロエングレービング１６がその全体として見られるようにする。
【０１３５】
図９及び図１１に見られるように、光受信及び解析アセンブリ４２はハルトマンマトリックス４５と、ハルトマンマトリックス４５から所定の距離ｅ（図１１）に配置された画像センサ４６とを含む。
【０１３６】
ハルトマンマトリックス４５は一定間隔で穿孔された不透明板であるため、センサ４６により捕捉される像はそれぞれがマトリックス４５の１つの孔に対応する発光点のマトリックスであり、これらの発光点の位置は眼用レンズ１４の光学的特性に依存する。
【０１３７】
したがって、画像センサ４６により捕捉された像の解析は、例えばハルトマン又はシャック−ハルトマン偏向計測法を介し、眼用レンズ１４の光学的特性（特にその光学中心、その円柱屈折力の軸、その球面屈折力、その円柱屈折力及び他の特性）を判断できるようにする。より詳細については、例えば米国特許第６，８８８，６２６号明細書又は国際公開第９５／３４８００号パンフレットに対応する仏国特許第２，８２５，４６６号明細書が参照され得る。
【０１３８】
図１１に見られるように、画像センサ４６は、眼用レンズ１４の光学的特性を判断することができる画像解析装置４７へリンクされる。
【０１３９】
画像解析装置４７は、したがって、画像解析装置４７により判断された眼用レンズ１４の光学的特性を表示し得る表示ユニット３２へリンクされる。
【０１４０】
したがって、図１３に示すように、本発明による光学機器の第２の実施形態では、心出しピン配置装置３８は画像解析装置３７だけでなく画像解析装置４７へもリンクされる。これは、心出しピン自動配置装置３８は心出しピンがマイクロエングレービング１６によってだけでなく、レンズ１４の光学的特性によっても配置されなければならない眼用レンズ１４の面１５上の場所の座標を確認し得ることを意味する。
【０１４１】
図１１は、後方散乱器１２２を回転させるように駆動する装置５０であって、後方散乱器１２２を、回転中心４０を中心として回転させるように構成された装置５０を概略的に示す。
【０１４２】
図１１を参照して、どのようにして参照符号４１、１４１又は２４１などの開口に対応する空隙が表示ユニット３２上に現われるのを防止し得るかを説明する。
【０１４３】
ビデオカメラ３１と、後方散乱器１１２を回転させるように駆動する装置５０とは、ビデオカメラ３１が撮像する各時間間隔が後方散乱器１１２の整数回転数に対応するように構成された制御装置５１へリンクされる。
【０１４４】
図示の例では、各像は１／２０秒期間中に撮影され、後方散乱器１１２は１／２０秒で一回転する（すなわち１２００回転／分の速度）。
【０１４５】
上に説明したように、回転中心４０は参照符号４１、１４１、２４１などの開口内に配置されないため、これら開口のいかなる部分も回転中心４０を中心としない。
【０１４６】
したがって、その回転中心４０とその周囲との間の後方散乱器１１２に対向するいかなる定常点も、各回転の少なくとも一部期間中は、開口の一部を形成しない後方散乱器１１２の一部分（固体部）と一致する。
【０１４７】
同様に、ビデオカメラ３１のセンサ３６の各画素は、各回転の一部期間中、開口の一部を形成しない後方散乱器１１２の一部分から光を受信する。
【０１４８】
各像は後方散乱器１１２の１又は複数の全回転中に撮影されるため、各画素は、参照符号４１、１４１又は２４１などの開口の一部を形成しない後方散乱器１１２の部分から到来する光のうちの同じ割合の光を受信する。
【０１４９】
したがって、ビデオカメラ３１により撮影された各像は、参照符号４１、１４１又は２４１などの開口に対応する空隙を含まない。
【０１５０】
表示ユニット３２を見るオペレータは、後方散乱器１１２のすべて又は一部があまり明るく見えないことを除いて、固体後方散乱器１２による像と同じ像を見る。
【０１５１】
例えば、図８及び図９に示す開口４１を有する後方散乱器１１２について、後方散乱器１１２の感知輝度は、他のすべてが等しければ、全体として後方散乱器１２の感知輝度の１１／１２である。
【０１５２】
したがって、図８及び図９に示す開口４１を有する後方散乱器１１２は、光を光受信及び解析ユニット４２へ依然として通すが、完全に固体の後方散乱器（後方散乱器１２と全く同様）として感知される。
【０１５３】
図１０及び図１１に示す開口１４１を有する後方散乱器１１２について、その半径が回転中心４０及び開口１４１の頂点との間の距離に対応する中央部は後方散乱器１２と同じ輝度で感知され、後方散乱器１１２の残り部分はあまり明るくないと感知される。
【０１５４】
すべての場合、後方散乱器１１２の像はマイクロエングレービング１６がその全体として見られるようにする。
【０１５５】
制御装置５１の実装は例えば、ビデオカメラ３１及び回転駆動装置５０を制御する共通時間ベース生成器を含む。
【０１５６】
図１１に示す例では、後方散乱器１１２の位置を確認する検知器５２がまた、その回転速度が自動的に制御され得るようにするために設けられた。
【０１５７】
変形形態として、図１４に示すように、ビデオカメラ３１と後方散乱器１２を回転させるように駆動する装置５０とを制御するために参照符号５１などの制御装置を設けるのではなく、後方散乱器１１２を回転させるように駆動する装置５０、及び分散光源２５とダイアフラム２６とにより形成された点光源の分散光源２５へリンクされる装置５５を設ける。
【０１５８】
制御装置５５は光源２５に閃光を発射させるように構成され、光源２５が閃光を発射する各期間は後方散乱器１１２の整数回転数に対応する。
【０１５９】
例えば、後方散乱器１１２が１２００回転／分の速度で回転すれば、したがって１／２０秒毎に一回転すれば、各閃光は１／２０秒の期間又は１／２０秒の倍数の期間を有する。
【０１６０】
閃光間にはいかなる光も発射されないため、閃光が発射される瞬間のみが表示ユニット３２上に現われる。
【０１６１】
像が表示ユニット３２上に現われる各瞬間は後方散乱器１１２の１又は複数の全回転の間のみ持続するため、表示された各画像は、参照符号４１、１４１又は２４１などの開口に対応する空隙を含まない。
【０１６２】
表示ユニット３２を見るオペレータは、像が、光源２５により発射された閃光の速さで振動する輝度を有することを除き、参照符号５１などの制御装置によるものと同じ像を見る。
【０１６３】
制御装置５５の実装は例えば、光源２５の閃光と回転駆動装置５０とを制御する共通時間ベース生成器を含む。
【０１６４】
一般的に、後方散乱器１２又は後方散乱器１１２の回転の好適な範囲は６００〜５０００回転／分である。
【０１６５】
第２の実施形態による光学機器の図１５に示された第４のバージョンは第２のバージョン（図１０及び図１１）の変形形態であり、開口１４１は後方散乱器１１２の周囲まで及ばない開口３４１により置換される。
【０１６６】
より正確には、開口３４１は、その頂点が回転中心４０からオフセットされその円形−弧状側が後方散乱器１１２の周囲からオフセットされた角度セクタの形状である。
【０１６７】
図１６は、後方散乱器１１２に対向する固定ゾーンに含まれる様々な部分を示す。
【０１６８】
これは、環状部６０、部分６１により囲まれる円盤状部分６１、及び部分６０を囲む環状部６２を伴う。
【０１６９】
部分６０の各サイトは、後方散乱器１１２の回転の過程で、随時開口３４１と一致した状態になり、随時後方散乱器１１２の固体部と一致した状態になる。
【０１７０】
部分６１の各サイト及び部分６２の各サイトは後方散乱器１１２の固体部分と恒久的に一致する。
【０１７１】
部分６１の円形状輪郭は回転中心４０と開口３４１の頂点とのオフセットに対応する半径を有する。
【０１７２】
部分６２の内側輪郭は開口３４１の円弧状側の半径を有する。部分６２の外側輪郭は後方散乱器１１２の半径を有する。
【０１７３】
部分６０の内側輪郭は部分６１の輪郭に対応する。部分６０の外側輪郭は部分６２の内側輪郭に対応する。
【０１７４】
図１５の後方散乱器１１２に対向する固定ゾーンが光受信及び解析アセンブリ４２の側にあれば、
−  部分６１も部分６２も、光受信及び解析アセンブリ４２に向かう光により横断されず、
−  部分６０は、いかなる時点でも、後方散乱器１１２の固体部分に一致する副部と開口３４１に一致する副部とを含む。
【０１７５】
後方散乱器１１２の固体部分に一致する副部は光受信及び解析アセンブリ４２に向かう光により横断されない。
【０１７６】
開口３４１に一致する副部は光受信及び解析アセンブリ４２に向かう光により横断される。
【０１７７】
光受信及び解析アセンブリ４２が部分６０に配置されれば、後方散乱器１１２の各回転時に、光受信及び解析アセンブリ４２の全体は眼用レンズ１４と開口３４１とを通過した光を受信する。
【０１７８】
したがって、後方散乱器１１２の各回転時に、光受信及び解析アセンブリ４２は眼用レンズ１４の対応ゾーンの全体を通過した光を受信する。
【０１７９】
図１５の後方散乱器１１２に対向する固定ゾーンが支持体１３の側にあれば、
−  部分６１と部分６２とは光発射及び受信アセンブリ１１に向かう光により恒久的に横断され、
−  部分６０は、いかなる時点でも、後方散乱器１１２の固体部分に一致する副部と開口３４０に一致する副部とを含む。
【０１８０】
後方散乱器１１２の固体部分に一致する副部は光発射及び受信アセンブリ１１に向かう光により横断される。
【０１８１】
開口３４１に一致する副部は光発射及び受信アセンブリ１１に向かう光により、又はそうでなければ低強度の光により横断されない。
【０１８２】
ビデオカメラ３１のセンサ３６により捕捉される後方散乱器１１２の像は、輝度に関して図１６と同じ態様を有し、部分６１及び部分６２に対応する中心と周囲とに、より明るいゾーンを、且つ部分６０に対応するこれらの部分の間に、若干明るさが低い部分を有する。
【０１８３】
開口４１を有するリヤビューミラー１１２（図８）については、開口４１の頂点は回転中心４０上にあり（したがって、参照符号６１などの部分はない）、開口４１は後方散乱器１１２の端まで行く（したがって参照符号６２などの部分はない）ため、参照符号６０などの部分のみが存在することが観察される。
【０１８４】
同様に、開口１４１を有する後方散乱器１１２（図１０）については、参照符号６２などの部分はなく、参照符号６１などの部分及び参照符号６０などの部分のみが存在する。
【０１８５】
第２の実施形態による光学機器の図１７に示された第５のバージョンは第１のバージョン（図８）の変形形態である。ここで、開口４１は、回転中心４０と同じ中心を有しその辺が等しくない矩形状開口４４１により置換される。すなわち、図１７において垂直方向に配向された辺は図１７において水平方向に配向された辺より大きい。
【０１８６】
図１９は、図１７の後方散乱器１１２に対向する固定ゾーンに含まれる様々な部分を示す。
【０１８７】
これは、環状部６３、部分６３により囲まれた円盤状部分６４、及び部分６３を囲む環状部６５を伴う。
【０１８８】
部分６３の各サイトは、後方散乱器１１２の回転の過程で、随時開口４４１と一致した状態になり、随時後方散乱器１１２の固体部と一致した状態になる。
【０１８９】
部分６４の各サイトは開口４４１と恒久的に一致する。
【０１９０】
部分６５の各サイトは後方散乱器１１２の固体部分と恒久的に一致する。
【０１９１】
図１８に照らし良く理解されるように、部分６４の円形状輪郭は開口４４１の短辺の一方の長さである直径を有し、部分６５の内側輪郭は開口４４１の対角線上にある直径を有し、部分６５の外側輪郭は後方散乱器１１２の直径を有する。
【０１９２】
部分６３は開口４４１が回転中心４０を中心として非対称ではないため、存在することに注意されたい。
【０１９３】
光受信及び解析アセンブリ４２と光発射及び受信アセンブリ１１とに関連して、部分６３及び６５は、図１６に示す固定ゾーンの部分６０及び部分６１又は６２のようにそれぞれ振る舞う。
【０１９４】
一方、部分６４の各サイトは開口４４１と恒久的に一致するため、
−  固定ゾーンが光受信及び解析アセンブリ４２の側にあれば、部分６４は光受信及び解析アセンブリ４２に向かう光により恒久的に横断され、
−  固定ゾーンが支持体１３の側にあれば、部分６４は光発射及び受信アセンブリ１１に向かう光により横断されない又はそうでなければ低強度の光により横断される。
【０１９５】
ビデオカメラ３１のセンサ３６により捕捉される後方散乱器１１２の像は輝度に関して図１９と同じ態様を有し、部分６４に対応する中心に、暗いゾーンを、部分６５に対応する周囲に、より明るいゾーンを、且つ部分６３に対応するこれらの部分の間に、若干明るさが低いゾーンを有する。
【０１９６】
マイクロエングレービング１６の、又はとにかく少なくとも１つの特性点の位置を与えるように眼用レンズ上に存在する傾向のあるいくつかの他の性質の所定指標の、良好なトレーシングを可能にするための一般的な方法では、参照符号６４などの部分が存在しないか又は可能な限り小さい（例えば１００ｍｍ２以下）ことが望ましい。
【０１９７】
部分６４は回転中心４０が開口４１内にあるために存在することに注意されたい。
【０１９８】
上に例示し説明したすべての例示的実施形態では、後方散乱器１１２は回転中心４０を中心として連続的に回転し得る。
【０１９９】
回転駆動装置５０は各周期において後方散乱器１１２に同一運動（すなわち回転中心４０のまわりの完全な回転）をさせる、周期的に駆動する装置であることが観察される。
【０２００】
図２０に示す光学機器の第３の実施形態では、回転中心４０を中心として連続的な方法で回転するように駆動される後方散乱器１１２は、方向７０に沿った往復運動で平行移動される後方散乱器１１２により置換される。
【０２０１】
往復運動で駆動するこの装置は矢印７１により図２１に象徴化される。
【０２０２】
図２１は、往復運動の極限位置の１つを実線で、他の極限位置を破線で示す。
【０２０３】
ここで、後方散乱器１１２は、矩形輪郭を有し、後方散乱器１１２と同じ中心を有する開口５４１を呈示し、比較的狭い。
【０２０４】
図２２は、図１６及び１９と同様に、図２０の後方散乱器１１２に対向する固定ゾーンに含まれる様々な部分を示す。
【０２０５】
これは、矩形部分７５と、その内側輪郭が部分７５のものに対応しその外側輪郭が矩形である部分７６とを伴う。
【０２０６】
後方散乱器１１２の外方向復帰運動（ｏｕｔｗａｒｄ−ｒｅｔｕｒｎ  ｍｏｖｅｍｅｎｔ）の過程で、部分７５の各サイトは、随時開口５４１と一致する状態となり、随時後方散乱器１１２の固体部分と一致する状態となる。
【０２０７】
部分７６の各サイトは後方散乱器１１２の固体部分と恒久的に一致する。
【０２０８】
したがって、部分７５は部分６０（図１６）又は部分６３（図１９）と同様の方法で振る舞い、部分７６は部分６１又は６２（図１６）及び部分６５（図１９）と同様の方法で振る舞う。
【０２０９】
不図示の変形形態では、後方散乱器を周期的に駆動する装置は、交互に（往復運動）ではなく連続的な方法で後方散乱器を所定方向に沿って平行移動させるように構成される。例えば、後方散乱器はいくつかのローラのまわりを走るエンドレスベルトにより運ばれる。
【０２１０】
不図示の別の変形形態では、後方散乱器は、所定角度振幅の往復運動を行うことにより、連続的な方法ではなく交互に回転するように駆動される。
【０２１１】
不図示の変形形態では、光後方散乱器は別の性質の光ユニット（例えば逆反射体）により置換される。
【０２１２】
この場合、参照符号３１などのカメラの参照符号３５などの対物レンズは返光ユニット上ではなくレンズ１４上に合焦される。
【０２１３】
不図示の変形形態では、マイクロエングレービング１６は、プリズム基準点（ＰＲＰ）（例えば消去可能インクマーキング）などの少なくとも１つの特性点の位置を与えるように、レンズ１４上に存在する他の所定指標により置換される。
【０２１４】
不図示の変形形態では、光発射及び受信アセンブリ１１は、例えば平行光ビームでない入射ビーム２０、及び／又は分散光源２５とダイアフラム２６とにより形成される点光源と異なる光源（例えば分散光源により直接形成される光源）を有するという点で異なる。
【０２１５】
図２３は図１１に示された光受信及び解析アセンブリ４２の変形形態を示す。ここでは、ハルトマンマトリックス４５は分離されないが、より拡大されたマスク８０の一部を形成し、アセンブリ４２はまた、マスク８０中の孔８２に面して配置された光源８１を含む。
【０２１６】
光源８１により発射された光は、孔８２、開口１４１を通過し、光発射及び受信アセンブリ１１に向かい、ここでビデオカメラ３１のセンサ３５により受信される。
【０２１７】
孔８２は、光学機器の校正を行うように働く例えば図２４に示すような所定パターン８３（ここでは３つの孔による３つの孔の交叉グリッド）を形成し得る。
【０２１８】
図２４では図を簡単にするためにハルトマンマトリックス４５は表されていないことに注意されたい。
【０２１９】
図２５はハルトマンマトリックス４５の孔の編成の変形形態を示す。ここでは、いくつかの孔８５及び８６はこのハルトマンマトリックス４５を通過する光に関する解析能力を改善するようにより大きい。
【０２２０】
不図示の変形形態では、ハルトマンマトリックス４５は、眼用レンズ１４の特性点を判断できるようにする（より一般的にはその球面屈折力、その円柱屈折力、及びその円柱屈折力軸などのこのレンズの他の特性を判断できるようにする）パターンの別のマトリックスにより置換される。
【０２２１】
不図示の変形形態では、光受信及び解析アセンブリ４２は他の光学的特性（例えばレンズ１４の分極軸）を判断することができる。
【０２２２】
状況によっては他の多くの変形形態が可能であり、この点で、本発明は説明及び表された例に限定されないことが想起される。
【図１】
0006490091.tif 000002
【図２】
0006490091.tif 000003
【図３】
0006490091.tif 000004
【図４】
0006490091.tif 000005
【図５】
0006490091.tif 000006
【図６】
0006490091.tif 000007
【図７】
0006490091.tif 000008
【図８】
0006490091.tif 000009
【図９】
0006490091.tif 000010
【図１０】
0006490091.tif 000011
【図１１】
0006490091.tif 000012
【図１２】
0006490091.tif 000013
【図１３】
0006490091.tif 000014
【図１４】
0006490091.tif 000015
【図１５】
0006490091.tif 000016
【図１６】
0006490091.tif 000017
【図１７】
0006490091.tif 000018
【図１８】
0006490091.tif 000019
【図１９】
0006490091.tif 000020
【図２０】
0006490091.tif 000021
【図２１】
0006490091.tif 000022
【図２２】
0006490091.tif 000023
【図２３】
0006490091.tif 000024
【図２４】
0006490091.tif 000025
【図２５】
0006490091.tif 000026